(57)【要約】【課題】パック商品を容易に扱うことができ、コンテンツを購入済みであるか否かといったことを無用に視聴者に意識させることがないコンテンツ販売装置を提供する。【解決手段】番組コンテンツ販売装置１は、パック商品を構成する複数の番組コンテンツを示す商品情報とパック商品を視聴者に販売した履歴である販売履歴情報とを記憶する記憶手段１１と、検索条件入力手段１２と、検索手段１３と、一覧画面出力手段１４と、販売予定商品入力手段１５と、パック商品と単品商品との間で重複販売チェックを行う販売チェック手段１６と、詳細画面出力手段１７と、番組コンテンツ販売手段１８と、番組コンテンツ視聴要求手段１９とを備える。【選択図】図２
2010231691.tif 000002
【特許請求の範囲】
【請求項１】
一つのコンテンツで構成される単品商品と、複数の前記コンテンツで構成されるパック商品とを視聴者に販売するコンテンツ販売装置であって、
前記パック商品を構成する前記複数のコンテンツを示す構成情報と、前記パック商品を前記視聴者に販売した履歴である販売履歴情報とを記憶する記憶手段と、
販売予定の前記単品商品である販売予定単品商品を識別する情報が入力される販売予定商品入力手段と、
前記販売履歴情報を参照して、前記視聴者に販売した販売済みパック商品を検索する販売履歴情報検索手段と、
前記構成情報を参照して、前記販売済みパック商品を構成する前記複数のコンテンツに前記販売予定単品商品を構成する前記一つのコンテンツが含まれる場合には、視聴できると判定すると共に、当該複数のコンテンツに当該一つのコンテンツが含まれない場合には、販売できると判定する重複販売判定手段と、
前記重複販売判定手段によって視聴できると判定された場合、前記販売予定単品商品を構成する前記一つのコンテンツの視聴要求が入力される視聴画面を出力し、前記販売できると判定された場合、前記販売予定単品商品の販売要求が入力される販売画面を出力する詳細画面出力手段と、
を備えることを特徴とするコンテンツ販売装置。
【請求項２】
前記記憶手段は、前記単品商品を構成する前記一つのコンテンツを識別する情報を、前記構成情報として記憶すると共に、前記単品商品を前記視聴者に販売した履歴を前記販売履歴情報として記憶し、
前記販売予定商品入力手段は、販売予定の前記パック商品である販売予定パック商品を識別する情報が入力され、
前記販売履歴情報検索手段は、前記販売履歴情報を参照して、前記視聴者に販売した販売済み単品商品を検索し、
前記重複販売判定手段は、前記構成情報を参照して、前記販売済み単品商品を構成する前記一つのコンテンツが前記販売予定パック商品を構成する前記複数のコンテンツに含まれる場合には、視聴できると判定すると共に、当該一つのコンテンツが当該複数のコンテンツに含まれない場合には、販売できると判定し、
前記詳細画面出力手段は、前記重複販売判定手段によって視聴できると判定された場合、前記販売予定パック商品を構成する前記一つのコンテンツの視聴要求が入力される視聴画面を出力し、前記販売できると判定された場合、前記販売予定パック商品の販売要求が入力される販売画面を出力することを特徴とする請求項１に記載のコンテンツ販売装置。
【発明の詳細な説明】
【技術分野】
【０００１】
本発明は、一つのコンテンツで構成される単品商品と、複数のコンテンツで構成されるパック商品とを視聴者に販売するコンテンツ販売装置に関する。
【背景技術】
【０００２】
近年、放送とインターネットとの融合が進み、視聴者の要求に応じて、番組コンテンツをインターネットで配信するビデオオンデマンド（ＶＯＤ）が盛んになっている。一般的に、視聴したい番組コンテンツを視聴者が事前に購入する必要があるため、インターネット等のネットワークを介して、視聴者が番組コンテンツを購入する発明が提案されている（例えば、特許文献１）。
【０００３】
特許文献１に記載の発明は、重複販売チェックを行い、視聴者が既に購入した番組コンテンツを再度購入しようとした場合、視聴者が既にその番組コンテンツを購入済みであることを示す購入済みメッセージを視聴者に提示するものである。
【先行技術文献】
【特許文献】
【０００４】
【特許文献１】特開２００３−２３５３１号公報
【発明の概要】
【発明が解決しようとする課題】
【０００５】
しかし、特許文献１に記載の発明は、複数の番組コンテンツをまとめたパック商品を想定しておらず、単一の番組コンテンツを商品とした単品商品同士の間でしか、重複販売チェックを行っていない。このため、特許文献１に記載の発明では、視聴者があるパック商品を購入した場合でも、そのパック商品に含まれる番組コンテンツを単品商品として、視聴者が再度購入してしまうことがある。このため、特許文献１に記載の発明は、視聴者にとって不親切であるばかりか、販売者と視聴者との間で金銭的なトラブルに発展することもあり、パック商品の取り扱いを難しくしている。
【０００６】
さらに、特許文献１に記載の発明は、視聴者がある番組コンテンツを購入済みの場合、購入済みメッセージを視聴者に提示し、その確認を視聴者に促す。このため、特許文献１に記載の発明では、視聴者が、番組コンテンツを選択した直後にこれを視聴したいときでも、その前に購入済みメッセージを確認しなければならず、視聴者にとって極めて煩わしいという問題がある。
【０００７】
そこで、本発明は、パック商品の取り扱いを容易とし、視聴者の煩わしさを軽減させるコンテンツ販売装置を提供することを目的とする。
【課題を解決するための手段】
【０００８】
前記した課題を解決するため、本願第１発明に係るコンテンツ販売装置は、一つのコンテンツで構成される単品商品と、複数のコンテンツで構成されるパック商品とを視聴者に販売するコンテンツ販売装置であって、記憶手段と、販売予定商品入力手段と、販売履歴情報検索手段と、重複販売判定手段と、詳細画面出力手段と、を備えることを特徴とする。
【０００９】
かかる構成によれば、コンテンツ販売装置は、記憶手段によって、パック商品を構成する複数のコンテンツを示す構成情報と、パック商品を視聴者に販売した履歴である販売履歴情報とを記憶する。また、コンテンツ販売装置は、販売予定商品入力手段によって、販売予定の単品商品である販売予定単品商品を識別する情報が入力される。また、コンテンツ販売装置は、販売履歴情報検索手段によって、販売履歴情報を参照して、視聴者に販売した販売済みパック商品を検索する。また、コンテンツ販売装置は、重複販売判定手段によって、構成情報を参照して、販売済みパック商品を構成する複数のコンテンツに販売予定単品商品を構成する一つのコンテンツが含まれる場合には、視聴できると判定すると共に、複数のコンテンツに一つのコンテンツが含まれない場合には、販売できると判定する。そして、コンテンツ販売装置は、詳細画面出力手段によって、重複販売判定手段によって視聴できると判定された場合、販売予定単品商品を構成する一つのコンテンツの視聴要求が入力される視聴画面を出力し、販売できると判定された場合、販売予定単品商品の販売要求が入力される販売画面を出力する。
【００１０】
これによって、コンテンツ販売装置は、販売済みパック商品と販売予定単品商品との間で視聴者の重複購入を防止できると共に、販売予定単品商品が販売済みのときは視聴画面を提示する。
【００１１】
本願第２発明に係るコンテンツ販売装置は、記憶手段が、単品商品を構成する一つのコンテンツを識別する情報を、構成情報として記憶すると共に、単品商品を視聴者に販売した履歴を販売履歴情報として記憶し、販売予定商品入力手段が、販売予定のパック商品である販売予定パック商品を識別する情報が入力され、販売履歴情報検索手段が、販売履歴情報を参照して、視聴者に販売した販売済み単品商品を検索し、重複販売判定手段が、構成情報を参照して、販売済み単品商品を構成する一つのコンテンツが販売予定パック商品を構成する複数のコンテンツに含まれる場合には、視聴できると判定すると共に、当該一つのコンテンツが当該複数のコンテンツに含まれない場合には、販売できると判定し、詳細画面出力手段が、重複販売判定手段によって視聴できると判定された場合、販売予定パック商品を構成する一つのコンテンツの視聴要求が入力される視聴画面を出力し、販売できると判定された場合、販売予定パック商品の販売要求が入力される販売画面を出力することを特徴とする。
【００１２】
かかる構成によれば、コンテンツ販売装置は、販売済みパック商品と販売予定単品商品とに加えて、販売予定パック商品と販売済み単品商品との間でも視聴者の重複購入を防止できる。
【発明の効果】
【００１３】
本発明によれば、以下のような優れた効果を奏する。
本願第１発明によれば、販売済みパック商品と販売予定単品商品との間で視聴者の重複購入を防止できるので、パック商品の取り扱いが容易になる。また、本願第１発明によれば、販売予定単品商品が販売済みのときには視聴画面を提示するため、コンテンツを購入済みであるか否かといったことを無用に視聴者に意識させず、視聴者の煩わしさを軽減できる。
【００１４】
本願第２発明によれば、販売済みパック商品と販売予定単品商品とに加えて、販売予定パック商品と販売済み単品商品との間でも視聴者の重複購入を防止できるため、パック商品の取り扱いがより容易となる。
【図面の簡単な説明】
【００１５】
【図１】本発明の実施形態に係る番組コンテンツ提供システムの概略を示す概略図である。
【図２】図１の番組コンテンツ販売装置の構成を示すブロック図である。
【図３】図２の記憶手段が記憶するメタデータの第１例を説明する図であり、（ａ）は商品情報のデータ構造を示す図であり、（ｂ）は販売履歴情報を示す図である。
【図４】図２の記憶手段が記憶するメタデータの第２例を説明する図であり、（ａ）は商品情報のデータ構造を示す図であり、（ｂ）は販売履歴情報を示す図であり、（ｃ）は構成情報のデータ構造を示す図である。
【図５】本発明における検索画面の一例を示す図である。
【図６】本発明における一覧画面の一例を示す図である。
【図７】本発明における視聴画面の一例を示す図である。
【図８】本発明における販売画面の一例を示す図である。
【図９】図２の番組コンテンツ販売装置の一覧画面出力処理を示すフローチャートである。
【図１０】図２の番組コンテンツ販売装置の重複販売チェック処理を示すフローチャートである。
【図１１】図２の番組コンテンツ販売装置の番組コンテンツ販売処理を示すフローチャートである。
【図１２】図２の番組コンテンツ販売装置の番組コンテンツ提供処理を示すフローチャートである。
【発明を実施するための形態】
【００１６】
以下、本発明の実施形態について、適宜図面を参照しながら詳細に説明する。なお、各実施形態において、同一の機能を有する手段及び同一の部材には同一の符号を付し、説明を省略した。
【００１７】
［番組コンテンツ提供システムの概略］
図１を参照して、本発明の本実施形態に係る番組コンテンツ提供システムの概略について、説明する。図１に示すように、番組コンテンツ提供システム１００は、インターネット等のネットワークＮを介して、番組コンテンツを配信するビデオオンデマンドシステムであり、番組コンテンツ販売装置１と、１台以上のクライアント装置２と、番組コンテンツ提供装置３とを備える。なお、番組コンテンツ販売装置１が、請求項に記載のコンテンツ販売装置に相当する。
【００１８】
番組コンテンツ提供システム１００は、ネットワークＮで、番組コンテンツ販売装置１とクライアント装置２とを接続する。また、番組コンテンツ提供システム１００は、番組コンテンツ販売装置１と番組コンテンツ提供装置３とを、例えば、ＬＡＮやＷＡＮで接続する。なお、番組コンテンツ販売装置１及び番組コンテンツ提供装置３は、例えば、放送局や番組コンテンツを提供するサービスプロバイダが運営管理する。
【００１９】
番組コンテンツ販売装置１は、一つの番組コンテンツで構成される単品商品と、複数の番組コンテンツで構成されるパック商品とを視聴者に販売するものである。ここで、番組コンテンツ販売装置１は、例えば、後記するメタデータを記憶するデータベース等の記憶手段を備え、後記する各画面をＨＴＭＬフォーマットで出力するＷｅｂサーバである。なお、番組コンテンツ販売装置１の詳細については、後記する。
【００２０】
クライアント装置２は、視聴者が番組コンテンツを購入及び視聴するときに利用する端末装置である。ここで、クライアント装置２は、例えば、ネットワーク通信機能と、ネットワークを介してホームページを表示するブラウザと、購入した番組コンテンツを再生する動画再生ソフトウェアとを備えるパーソナルコンピュータ（ＰＣ）又は携帯電話端末である。
【００２１】
番組コンテンツ提供装置３は、視聴者が購入した単品商品やパック商品に応じて、番組コンテンツを視聴者に提供するものである。ここで、番組コンテンツ提供装置３は、様々な番組コンテンツを蓄積するデータベースを備え、番組コンテンツ販売装置１を介して、クライアント装置２から番組コンテンツの視聴要求があった際、番組コンテンツ販売装置１を介して、その視聴要求に応じた番組コンテンツをクライアント装置２に出力する。
【００２２】
以下、番組コンテンツ提供システム１００における、視聴者が番組コンテンツを視聴及び購入する手順について説明する。まず、視聴者は、クライアント装置２を操作して、番組コンテンツ販売装置１が提供する番組コンテンツサイト（ホームページ）にアクセスする。すると、番組コンテンツ販売装置１は、人気の高い番組コンテンツや近日中に配信予定の番組コンテンツ等の様々な情報に加え、検索画面（図５参照）をクライアント装置２に出力する。そして、クライアント装置２に検索画面が表示されたら、視聴者は、この検索画面のテキストボックスＴに、視聴したい番組コンテンツの名称（例えば、○○姫）を検索条件として入力し、検索ボタンＢ１をクリックする。すると、クライアント装置２は、この検索条件を番組コンテンツ販売装置１に出力する。
【００２３】
クライアント装置２から検索条件が入力されると、番組コンテンツ販売装置１は、この検索条件を満たす単品商品及びパック商品を表示した一覧画面（図６参照）をクライアント装置２に出力する。そして、クライアント装置２に一覧画面が表示されたら、視聴者は、一覧画面から興味のある番組コンテンツを含む単品商品又はパック商品を何れか一つ選択する。すると、クライアント装置２は、選択した単品商品（販売予定単品商品）又はパック商品（販売予定パック商品）を示す商品ＩＤを番組コンテンツ販売装置１に出力する。
【００２４】
クライアント装置２から商品ＩＤが入力されると、番組コンテンツ販売装置１は、その商品ＩＤが示す販売予定単品商品又はパック商品について、後記する重複販売チェックを行う。そして、番組コンテンツ販売装置１は、視聴できる、つまり、重複販売していると判定した場合、視聴画面（図７参照）をクライアント装置２に出力し、販売できる、つまり、重複販売していないと判定した場合、販売画面（図８参照）をクライアント装置２に出力する。
【００２５】
クライアント装置２に視聴画面が表示された場合、視聴者は、クライアント装置２を操作して、図７の視聴ボタンＢ２をクリックする。すると、クライアント装置２は、番組コンテンツを示す番組コンテンツＩＤ、クライアント装置２のＩＰアドレス、ポート番号等を含む視聴要求を番組コンテンツ販売装置１に出力する。これに応じて、番組コンテンツ販売装置１は、この視聴要求を番組コンテンツ提供装置３に転送する。その後、番組コンテンツ提供装置３は、視聴要求に応じて、番組コンテンツを、そのクライアント装置２に出力（オンデマンド配信）する。
【００２６】
また、クライアント装置２に販売画面が表示された場合、視聴者は、クライアント装置２を操作して、図８の購入ボタンＢ３をクリックする。すると、クライアント装置２は、単品商品又はパック商品を示す商品ＩＤを含む販売要求を番組コンテンツ販売装置１に出力する。そして、番組コンテンツ販売装置１は、販売要求に応じて、販売処理を行う。このような手順で、番組コンテンツ提供システム１００は、視聴者が、番組コンテンツの視聴及び購入を行う。
【００２７】
［番組コンテンツ販売装置の構成］
以下、図２を参照して、図１の番組コンテンツ販売装置の構成について、説明する。図１に示すように、番組コンテンツ販売装置１は、記憶手段１１と、検索条件入力手段１２と、検索手段１３と、一覧画面出力手段１４と、販売予定商品入力手段１５と、販売チェック手段１６と、詳細画面出力手段１７と、番組コンテンツ販売手段１８と、番組コンテンツ視聴要求手段１９とを備える。なお、図２では、ネットワークＮを省略した。
【００２８】
記憶手段１１は、パック商品を構成する複数の番組コンテンツを示す商品情報と、パック商品を視聴者に販売した履歴である販売履歴情報とをメタデータとして記憶するデータベースである。以下、図３，４を参照し、メタデータの具体例について説明する（適宜図２参照）。
【００２９】
＜メタデータの第１例＞
図３（ａ）に示すように、商品情報は、個々の商品に関する情報を有するメタデータであり、データ項目として、商品を一意に識別する商品ＩＤと、商品の名称である商品名と、商品の内容を示す商品内容と、商品の販売開始時刻と、商品の販売終了時刻と、商品の価格と、構成番組ＩＤとを有する。この構成番組ＩＤは、その商品を構成する番組コンテンツＩＤを１以上含む。つまり、この構成番組ＩＤに１の番組コンテンツＩＤのみを含むものが単品商品であり、この構成番組ＩＤに２以上の番組コンテンツＩＤを含むものがパック商品である。図３（ａ）の例では、商品ＩＤが３桁のものが単品商品であり、商品ＩＤが４桁のものがパック商品である。また、商品ＩＤが「９９９９」の「見放題パック」は、構成番組ＩＤに全ての番組コンテンツＩＤを含み、視聴者が全ての番組コンテンツを視聴できる商品であることを示す。なお、図３（ａ）では、商品情報のうち、商品ＩＤと構成番組ＩＤとが、構成情報を構成している。
【００３０】
なお、番組コンテンツＩＤは、番組コンテンツ提供装置３に蓄積された番組コンテンツを一意に識別する識別情報であり、商品ＩＤとは別のものである。また、番組コンテンツは、例えば、ドラマ番組、バラエティー番組、ドキュメンタリー番組等のコンテンツである。
【００３１】
図３（ｂ）に示すように、販売履歴情報は、視聴者に販売した商品を示すメタデータであり、データ項目として、視聴者を一意に識別する視聴者ＩＤと、視聴者に販売した商品を示す商品ＩＤと、商品を販売した時刻を示す販売時刻とを有する。図３（ｂ）の例では、ある視聴者（視聴者ＩＤ＝α）が「歴史パック」を購入し、他の視聴者（視聴者ＩＤ＝β）が「○○姫第３回」を購入したことを示す。なお、販売履歴情報は、少なくとも、視聴者ＩＤと、商品ＩＤとを有していれば良く、そのデータ項目はこれに制限されない。
【００３２】
＜メタデータの第２例＞
以下、図４を参照し、メタデータの第２例について、説明する。
図４は、図３（ａ）の商品情報から構成情報を抜き出したものである。つまり、図４（ａ）の商品情報と、図４（ｂ）の販売履歴情報と、図４（ｃ）の構成情報（図２では省略）との３個のメタデータで構成される。ここで、図４の各情報のデータ項目は、図３と同様のものであるため、説明を省略する。なお、図２には、図４（ｃ）の構成情報の図示を省略した。このように、商品情報から構成情報を抜き出すことで、構成情報のメンテナンスが容易となる。
【００３３】
以下、図２に戻り、番組コンテンツ販売装置１の構成について、説明を続ける。
検索条件入力手段１２は、クライアント装置２から、前記した検索条件が入力されるものである。そして、検索条件入力手段１２は、この検索条件を検索手段１３に出力する。
【００３４】
検索手段１３は、記憶手段１１の商品情報を参照し、検索条件入力手段１２からの検索条件を満たす商品を検索するものである。ここで、検索手段１３は、例えば、検索条件として入力された番組コンテンツの名称を商品情報の商品名に含む単品商品とパック商品との商品ＩＤを、検索結果とする。例えば、検索条件が「○○姫」の場合、検索手段１３は、「○○姫」を商品名に含む商品ＩＤ「１０１、１０２、１０３、１００１」を検索し、これら商品ＩＤを検索結果とする。このとき、検索手段１３は、例えば、商品情報の構成番組ＩＤを参照し、検索結果に含まれる商品ＩＤを含むパック商品を検索結果に追加しても良い。例えば、検索手段１３は、歴史パックに「商品ＩＤ＝１０１」が含まるので、歴史パックの商品ＩＤ「２００１」を検索条件に追加する。その後、検索手段１３は、この検索結果を一覧画面出力手段１４に出力する。
【００３５】
一覧画面出力手段１４は、検索結果に含まれる商品ＩＤが示す単品商品とパック商品とを一覧表示する一覧画面を生成し、この一覧画面をクライアント装置２に出力するものである。ここで、一覧画面出力手段１４は、検索結果として、商品ＩＤ「１０１、１０２、１０３、１００１、２００１」が入力された例で説明する。この場合、一覧画面出力手段１４は、記憶手段１１の商品情報を参照し、商品ＩＤ「１０１、１０２、１０３、１００１、２００１」の商品内容、販売開始時刻、販売終了時刻及び価格等の情報を取得する。そして、一覧画面出力手段１４は、取得した商品情報を用いて、一覧画面をＨＴＭＬフォーマットで生成する。
【００３６】
この例では、図６に示すように、一覧画面は、検索結果に含まれるパック商品「○○姫パック、歴史パック」を上部に表示する。また、この一覧画面は、検索結果に含まれる単品商品「○○姫第１回、○○姫第２回、○○姫第３回」を下部に表示する。このとき、一覧画面は、パック商品や単品商品のタイトル画像Ｇを表示しても良い。この場合、一覧画面は、タイトル画像Ｇがクリックされると、その商品（販売予定単品商品及び販売予定パック商品）の商品ＩＤを番組コンテンツ販売装置１に出力するスクリプトが埋め込まれる。なお、このタイトル画像Ｇは、パック商品又は単品商品の商品ＩＤを含むファイル名で番組コンテンツ販売装置１の所定のディレクトリに予め保存しておく。そして、一覧画面出力手段１４は、一覧画面に表示する商品ＩＤを含むファイル名のタイトル画像を取得し、このタイトル画像Ｇを含む一覧画面を生成する。
【００３７】
販売予定商品入力手段１５は、販売予定の単品商品である販売予定単品商品を識別する情報が入力されるものである。ここで、販売予定商品入力手段１５は、クライアント装置２に表示された一覧画面において、視聴者がクリックしたタイトル画像Ｇに応じた単品商品の商品ＩＤが、販売予定単品商品を識別する情報として入力される。そして、販売予定商品入力手段１５は、販売予定単品商品を販売チェック手段１６に出力する。なお、販売予定商品入力手段１５は、販売予定のパック商品である販売予定パック商品を識別する情報（販売予定パック商品の商品ＩＤ）が入力されても良い。
【００３８】
販売チェック手段１６は、重複販売チェック処理を行うものであり、販売履歴情報検索手段１６ａと、重複販売判定手段１６ｂとを備える。ここで、図３又は図４の商品情報及び販売履歴情報において、ある視聴者（視聴者ＩＤ＝α）が、単品商品「○○姫第１回」を購入しようとする例で説明する。
【００３９】
販売履歴情報検索手段１６ａは、記憶手段１１の販売履歴情報を参照して、視聴者に販売した販売済みパック商品を検索するものである。ここで、販売履歴情報検索手段１６ａは、例えば、販売履歴情報から視聴者ＩＤが「α」のデータを販売済みパック商品として検索する。この例では、販売履歴情報検索手段１６ａは、この視聴者の販売済みパック商品として、「歴史パック」の商品ＩＤ「２００１」を検索結果として取得する。
【００４０】
重複販売判定手段１６ｂは、構成情報を参照して、販売履歴情報検索手段１６ａが検索した販売済みパック商品を構成する複数の番組コンテンツに販売予定単品商品を構成する一つの番組コンテンツが含まれる場合には、視聴できると判定する。そして、重複販売判定手段１６ｂは、視聴できることを示す判定結果又は販売できることを示す判定結果を詳細画面出力手段１７に出力する。
【００４１】
ここで、図３（ａ）又は図４（ｃ）に示すように、構成情報は、商品ＩＤ「２００１」に構成番組ＩＤ「ＡＡＡ」を含む。また、図３（ｂ）に示すように、この視聴者（視聴者ＩＤ＝α）は、商品ＩＤ「２００１」を既に購入している。そして、前記したように、この視聴者が、構成番組ＩＤ「ＡＡＡ」で構成される単品商品「○○姫第１回」を購入しようとしている。このため、重複販売判定手段１６ｂは、この視聴者（視聴者ＩＤ＝α）が、単品商品「○○姫第１回」を構成する番組コンテンツ「ＡＡＡ」を視聴できると判定する。
【００４２】
一方、重複販売判定手段１６ｂは、販売履歴情報検索手段１６ａが検索した販売済みパック商品を構成する複数の番組コンテンツに販売予定単品商品を構成する一つの番組コンテンツが含まれない場合には、販売できると判定する。仮に、この視聴者が、構成番組ＩＤ「ＢＢＢ」で構成される単品商品「○○姫第２回」を購入しようとしていた場合で説明する。ここで、構成情報は、商品ＩＤ「２００１」に構成番組ＩＤ「ＢＢＢ」を含まないため、重複販売判定手段１６ｂは、この視聴者（視聴者ＩＤ＝α）に、単品商品「○○姫第２回」を構成する番組コンテンツ「ＢＢＢ」を販売できると判定する。
【００４３】
なお、販売履歴情報検索手段１６ａが、販売履歴情報を参照して視聴者に販売した販売済み単品商品を検索すると共に、重複販売判定手段１６ｂが販売済み単品商品の商品ＩＤと販売予定単品商品の商品ＩＤとが一致するか否かを判定しても良い（同一単品商品の重複販売チェック）。この場合、重複販売判定手段１６ｂは、両商品ＩＤが一致するときは視聴できると判定し、両商品ＩＤが一致しないときは販売できると判定する。さらに、重複販売判定手段１６ｂは、パック商品についても、単品商品と同様に両商品ＩＤが一致するか否かを判定し、視聴できるか又は販売できるかを判定しても良い（同一パック商品の重複販売チェック）。
【００４４】
詳細画面出力手段１７は、視聴画面、販売画面等の詳細画面を出力するものであり、視聴画面出力手段１７ａと、販売画面出力手段１７ｂとを備える。
視聴画面出力手段１７ａは、重複販売判定手段１６から視聴できることを示す判定結果が入力された場合、販売予定単品商品を構成する一つの番組コンテンツの視聴要求が入力される視聴画面を生成し、クライアント装置２に出力するものである。ここで、視聴画面出力手段１７ａは、図７に示すように、上部にタイトル画像Ｇが表示され、下部に視聴ボタンＢ２が表示された視聴画面をＨＴＭＬフォーマットで生成する。この場合、視聴画面出力手段１７ａは、視聴画面で視聴ボタンＢ２がクリックされると、その番組コンテンツの番組コンテンツＩＤ、ＩＰアドレス、ポート番号等を含む視聴要求を番組コンテンツ販売装置１に出力するスクリプトを埋め込む。
【００４５】
販売画面出力手段１７ｂは、重複販売判定手段１６から販売できることを示す判定結果が入力された場合、販売予定単品商品の販売要求が入力される販売画面を生成し、クライアント装置２に出力するものである。ここで、販売画面出力手段１７ｂは、図８に示すように、上部にタイトル画像Ｇが表示され、中央に商品内容等の情報が表示され、下部に購入ボタンＢ３が表示された販売画面をＨＴＭＬフォーマットで生成する。この場合、販売画面出力手段１７ｂは、販売画面で購入ボタンＢ３がクリックされると、その販売予定単品商品の商品ＩＤを含む販売要求を番組コンテンツ販売装置１に出力するスクリプトを埋め込む。
【００４６】
番組コンテンツ販売手段１８は、クライアント装置２に表示された販売画面を介して、販売要求が入力されるものである。そして、番組コンテンツ販売手段１８は、入力された販売要求に応じて、単品商品やパック商品の販売処理を行う。ここで、番組コンテンツ販売手段１８は、販売要求を入力した視聴者ＩＤと、その販売要求に含まれる商品ＩＤと、その販売要求が入力された時刻とを、それぞれ、販売履歴情報の視聴者ＩＤ、商品ＩＤ及び販売時刻に登録する。また、番組コンテンツ販売手段１８は、従来と同様に、課金処理を行っても良い。
【００４７】
番組コンテンツ視聴要求手段１９は、クライアント装置２に表示された視聴画面を介して、視聴要求が入力されるものである。そして、番組コンテンツ視聴要求手段１９は、この視聴要求を番組コンテンツ提供サーバ装置３に転送する。これに応じて、番組コンテンツ提供サーバ装置３は、番組コンテンツをクライアント装置２にオンデマンド配信する。
【００４８】
［番組コンテンツ販売装置の動作］
＜一覧画面出力処理＞
以下、図９を参照して、番組コンテンツ販売装置の一覧画面出力処理について、説明する（適宜図２参照）。まず、番組コンテンツ販売装置１は、検索条件入力手段１２によって、クライアント装置２から検索条件が入力される（ステップＳ１１）。また、番組コンテンツ販売装置１は、検索手段１３によって、記憶手段１１の商品情報を参照し、ステップＳ１１の処理で入力された検索条件を満たす商品を検索する（ステップＳ１２）。そして、番組コンテンツ販売装置１は、一覧画面出力手段１４によって、ステップＳ１２の処理で検索した商品ＩＤが示す単品商品とパック商品との一覧画面を生成し、この一覧画面をクライアント装置２に出力する（ステップＳ１３）。
【００４９】
＜重複販売チェック処理＞
以下、図１０を参照して、番組コンテンツ販売装置の重複販売チェック処理について、説明する（適宜図２参照）。まず、番組コンテンツ販売装置１は、販売予定商品入力手段１５によって、販売予定の単品商品である販売予定単品商品を識別する情報が入力される（ステップＳ２１）。
【００５０】
ステップＳ２１の処理に続いて、番組コンテンツ販売装置１は、販売履歴情報検索手段１６ａによって、視聴者に販売した販売済み単品商品を検索する。そして、番組コンテンツ販売装置１は、重複販売判定手段１６ｂによって、ステップＳ２１で入力された商品ＩＤと販売済み単品商品の商品ＩＤとが一致するときは視聴できると判定し、両商品ＩＤが一致しないときは販売できると判定する（ステップＳ２２）。ここで、視聴できると判定した場合（ステップＳ２２で視聴）、番組コンテンツ販売装置１は、ステップＳ２５の処理に進む。一方、販売できると判定した場合（ステップＳ２２で販売）、番組コンテンツ販売装置１は、ステップＳ２３の処理に進む。
【００５１】
ステップＳ２２で販売のとき、番組コンテンツ販売装置１は、販売履歴情報検索手段１６ａによって、視聴者に販売した販売済みパック商品を検索する。そして、番組コンテンツ販売装置１は、重複販売判定手段１６ｂによって、販売済みパック商品を構成する複数の番組コンテンツに、販売予定単品商品を構成する一つの番組コンテンツが含まれる場合には視聴できると判定する（ステップＳ２３）。ここで、視聴できると判定した場合（ステップＳ２３で視聴）、番組コンテンツ販売装置１は、ステップＳ２５の処理に進む。一方、販売できると判定した場合（ステップＳ２３で販売）、番組コンテンツ販売装置１は、ステップＳ２４の処理に進む。
【００５２】
ステップＳ２３で販売のとき、番組コンテンツ販売装置１は、販売画面出力手段１７ｂによって、販売画面を出力する（ステップＳ２４）。また、ステップＳ２２又はステップＳ２３で視聴のとき、番組コンテンツ販売装置１は、視聴画面出力手段１７ａによって、視聴画面を出力する（ステップＳ２５）。
【００５３】
＜番組コンテンツ販売処理＞
以下、図１１を参照して、番組コンテンツ販売装置の番組コンテンツ販売処理について、説明する（適宜図２参照）。まず、番組コンテンツ販売装置１は、番組コンテンツ販売手段１８によって、クライアント装置２に表示された販売画面を介して、販売要求が入力される（ステップＳ３１）。そして、番組コンテンツ販売装置１は、ステップＳ３１で入力された販売要求に応じて販売履歴情報を登録（更新）し、単品商品やパック商品の販売処理を行う（ステップＳ３２）。
【００５４】
＜番組コンテンツ提供処理＞
以下、図１２を参照して、番組コンテンツ販売装置の番組コンテンツ提供処理について、説明する（適宜図２参照）。まず、番組コンテンツ販売装置１は、番組コンテンツ視聴要求手段１９によって、クライアント装置２に表示された視聴画面を介して、視聴要求が入力される（ステップＳ４１）。そして、番組コンテンツ販売装置１は、番組コンテンツ視聴要求手段１９によって、この視聴要求を番組コンテンツ提供サーバ装置３に転送する（ステップＳ４２）。
【００５５】
以上のように、本発明の本実施形態に係る番組コンテンツ販売装置１は、前記した重複販売チェックによって、販売済みパック商品と販売予定単品商品との間で視聴者の重複購入を防止できると共に、パック商品の取り扱いが容易となる。また、本発明の本実施形態に係る番組コンテンツ販売装置１は、販売予定単品商品が販売済みのときには、購入済みメッセージを表示することなく、図７の視聴画面を提示する。このため、番組コンテンツ販売装置１は、番組コンテンツを購入済みであるか否かといったことを無用に視聴者に意識させず、視聴者の煩わしさを軽減できる。
【００５６】
また、例えば、図３（ａ）又は図４（ｃ）に示すように、ドキュメンタリー番組である「歴史ドキュメンタリー」と、ドラマ番組である「○○姫第１回」及び「戦国武将△△」といった、異なるジャンルに属する番組コンテンツで構成されるパック商品「歴史パック」においても、重複販売チェックを行う。このように、異なるジャンルに属する番組コンテンツで構成されるパック商品は、視聴者が、そのパック商品を構成する個々の番組コンテンツを把握しにくいので、重複して購入しようとする場合が多く、視聴者にとって紛らわしい。このような場合でも、本発明の本実施形態に係る番組コンテンツ販売装置１は、視聴者の重複購入を防止できるので、視聴者の満足度がより高くなる。
【００５７】
なお、本発明の本実施形態に係る番組コンテンツ販売装置１を独立した装置として説明したが、本発明では、一般的なコンピュータを、図２の各手段として機能させるプログラムによって動作させることもできる。このプログラムは、通信回線を介して配布しても良く、ＣＤ−ＲＯＭやフラッシュメモリ等の記録媒体に書き込んで配布しても良い。
【００５８】
＜変形例＞
以下、図２に戻り、番組コンテンツ販売装置１の変形例について、説明する。この変形例では、番組コンテンツ販売装置１は、販売予定パック商品と販売済み単品商品との間でも重複販売チェックを行う。
【００５９】
ここで、図３又は図４の商品情報及び販売履歴情報において、ある視聴者（視聴者ＩＤ＝β）が、パック商品「○○姫パック」を購入しようとする例で説明する。
【００６０】
販売履歴情報検索手段１６ａは、記憶手段１１の販売履歴情報を参照して、視聴者に販売した販売済み単品商品を検索する。ここで、販売履歴情報検索手段１６ａは、例えば、販売履歴情報から視聴者ＩＤが「β」のデータを販売済み単品商品として検索する。この例では、販売履歴情報検索手段１６ａは、この視聴者の販売済み単品商品「○○姫第３回」の商品ＩＤ「１０３」を検索結果として取得する。
【００６１】
重複販売判定手段１６ｂは、構成情報を参照して、販売履歴情報検索手段１６ａが検索した販売済み単品商品を構成する一つの番組コンテンツが、販売予定パック商品を構成する複数の番組コンテンツに含まれる場合には、視聴できると判定する。ここで、構成情報は、商品ＩＤ「１００１」に構成番組ＩＤ「ＣＣＣ」が含まれる。また、この視聴者（視聴者ＩＤ＝β）は、商品ＩＤ「１０３」を既に購入している。そして、この視聴者が、構成番組ＩＤ「ＣＣＣ」を含むパック商品「○○姫パック」を購入しようとしている。この場合、重複販売判定手段１６ｂは、購入予定パック商品「○○姫パック」のうち、単品商品「○○姫第３回」のみを視聴できると判定し、単品商品「○○姫第１回」及び単品商品「○○姫第２回」を販売できると判定することが好ましい。
【００６２】
一方、重複販売判定手段１６ｂは、販売履歴情報検索手段１６ａが検索した販売済み単品商品を構成する一つの番組コンテンツが、販売予定パック商品を構成する複数の番組コンテンツに含まれなない場合には、販売できると判定する。仮に、この視聴者（視聴者ＩＤ＝β）が、構成番組ＩＤ「ＥＥＥ」で構成される単品商品「戦国武将△△」を購入しようとしていた場合、「○○姫パック」には構成番組ＩＤ「ＥＥＥ」が含まれないため、重複販売判定手段１６ｂは、単品商品「戦国武将△△」を販売できると判定する。
【００６３】
視聴画面出力手段１７ａは、重複販売判定手段１６ｂから視聴できることを示す判定結果が入力された場合、販売予定パック商品を構成する一つの番組コンテンツの視聴要求が入力される視聴画面を出力する。また、販売画面出力手段１７ｂは、重複販売判定手段１６ｂから販売できることを示す判定結果が入力された場合、販売予定パック商品の販売要求が入力される販売画面を出力する。
【００６４】
本発明の本変形例に係る番組コンテンツ販売装置１は、前記した重複販売チェックによって、販売済み単品商品と販売予定パック商品との間で視聴者の重複購入を防止できると共に、販売予定パック商品が販売済みのときには、既に購入済みであることを示すダイアログ等を表示することなく、図７の視聴画面を提示する。このため、番組コンテンツ販売装置１は、パック商品をより容易に扱うことができ、視聴者の満足度もより高くなる。
【００６５】
なお、本発明の実施形態及び変形例では、番組コンテンツを例に説明したが、本発明のコンテンツは、これに限定されない。本発明のコンテンツとしては、番組コンテンツの他、例えば、写真等の静止画コンテンツ、映画等の動画コンテンツ、音楽や朗読等の音声コンテンツがある。
【符号の説明】
【００６６】
１      番組コンテンツ販売装置（コンテンツ販売装置）
１１    記憶手段
１２    検索条件入力手段
１３    検索手段
１４    一覧画面出力手段
１５    販売予定商品入力手段
１６    販売チェック手段
１６ａ  販売履歴情報検索手段
１６ｂ  重複販売判定手段
１７    詳細画面出力手段
１７ａ  視聴画面出力手段
１７ｂ  販売画面出力手段
１８    番組コンテンツ販売手段
１９    番組コンテンツ視聴要求手段
【図１】
2010231691.tif 000003
【図２】
2010231691.tif 000004
【図３】
2010231691.tif 000005
【図４】
2010231691.tif 000006
【図５】
2010231691.tif 000007
【図６】
2010231691.tif 000008
【図７】
2010231691.tif 000009
【図８】
2010231691.tif 000010
【図９】
2010231691.tif 000011
【図１０】
2010231691.tif 000012
【図１１】
2010231691.tif 000013
【図１２】
2010231691.tif 000014